(57)【特許請求の範囲】
【請求項１】
１個以上の下絵ブロックが描かれたベース（２）と、このベース（２）上にその一部が互いに重なるように貼り付けられる複数個のピース（５）とを有する重ね貼り装飾板（１）であって、
前記各下絵ブロック内には、複数個の貼付位置マーク（３）が互いに接するように記載されるとともに、これらの貼付位置マークには、前記ピースを貼る順番がグラデーションで表現されていることを特徴とする重ね貼り装飾板。
【請求項２】
貼付位置マーク（３）を円形とするとともに、全ての前記ピース（５）をこの貼付位置マークの直径より大きい均一の直径を有する円板形としたことを特徴とする請求項１に記載の重ね貼り装飾板。
【請求項３】
請求項１または２に記載の重ね貼り装飾板の製作方法であって、前記貼付位置マークに表現された前記ピースを貼る順番を表現したグラデーションの濃淡順に、前記ピースをその一部が互いに重なるように順次前記貼付位置マーク上に貼り付けることを特徴とする重ね貼り装飾板の製作方法。
【発明の詳細な説明】
【０００１】
【発明の属する技術分野】
本発明は、複数個のピースの一部を重ねてベース上に貼り付けることで立体感を表現する重ね貼り装飾板およびその製作方法に関するものである。
【０００２】
【従来の技術】
この種の重ね貼り装飾板においては、ピースを貼る順番が変わると、ピース相互の上下位置が反転し、ひいては重ね貼り装飾板全体の仕上がり感が大きく異なることから、ベース上に各ピースを正しい順番で貼り付けていくことが重要となる。従来、このピースを貼る順番は所定の説明書に記載されていた。
【０００３】
【発明が解決しようとする課題】
しかし、これでは、ピースを貼る順番をいちいち説明書で確認しながら作業を進めなければならないので、重ね貼り装飾板の完成までに時間がかかり、製作意欲が失せる恐れがあるという不都合があった。
【０００４】
本発明は、このような事情に鑑み、説明書に頼ることなく重ね貼り装飾板を短時間で完成させることが可能な重ね貼り装飾板およびその製作方法を提供することを目的とする。
【０００５】
【課題を解決するための手段】
すなわち、本発明のうち請求項１に係る発明は、１個以上の下絵ブロックが描かれたベース（２）と、このベース（２）上にその一部が互いに重なるように貼り付けられる複数個のピース（５）とを有する重ね貼り装飾板（１）であって、前記各下絵ブロック内には、複数個の貼付位置マーク（３）が互いに接するように記載されるとともに、これらの貼付位置マークには、前記ピースを貼る順番がグラデーションで表現されていることを特徴とするものである。ここで、グラデーションとは色彩のぼかし（濃淡）を意味する。
【０００６】
こうした構成を採用することにより、重ね貼り装飾板の製作に際して、ベースだけを見ながら各ピースを正しい順番で貼り付けていくことが可能となる。
【０００７】
また、本発明のうち請求項２に係る発明は、上記貼付位置マーク（３）を円形とするとともに、全ての前記ピース（５）をこの貼付位置マークの直径より大きい均一の直径を有する円板形として構成される。かかる構成により、ベースの各貼付位置マーク上にピースを貼り付けるだけで、必然的にピースの一部が互いに重なるようになる。
【０００８】
さらに、本発明のうち請求項３に係る発明は、請求項１または２に記載の重ね貼り装飾板の製作方法であって、前記貼付位置マークに表現された前記ピースを貼る順番を表現したグラデーションの濃淡順に、前記ピースをその一部が互いに重なるように順次前記貼付位置マーク上に貼り付けることを特徴とするものである。
【０００９】
なお、括弧内の符号は図面において対応する要素を表す便宜的なものであり、したがって、本発明は図面上の記載に限定拘束されるものではない。このことは「特許請求の範囲」の欄についても同様である。
【００１０】
【発明の実施の形態】
以下、本発明の実施形態を図面に基づいて説明する。
【００１１】
図１は重ね貼り装飾板を構成するベースを示す平面図、図２は図１に示すベース上にピースを貼る手順を示す斜視図、図３は重ね貼り装飾板の断面図である。
【００１２】
本発明に係る重ね貼り装飾板の実施形態における構成は以下の通りである。
【００１３】
図１に示すように、厚紙など各種の素材からなる平板状のベース２上には１個以上の下絵ブロック（山脈、地面、立木、家、馬など）が描かれており、各下絵ブロック内には多数個の円形の貼付位置マーク３が互いに接するように印刷されている。なお、これらの貼付位置マーク３はすべて均一の直径（一例としては、２．１ｍｍ）を有している。また、各貼付位置マーク３内にはそれぞれ、ピース色分け符号（例えば、「▽」「＊」「□」「×」など）が印刷されていると同時に、後述するピース５を貼る順番がグラデーション（例えば、淡い赤色から濃い赤色までの多段階着色）で表現されている。
【００１４】
一方、図２に示すように、紙や合成樹脂など各種の素材からなる円板形のピース５（５ａ、５ｂ、５ｃ）を必要枚数（ベース２上の貼付位置マーク３と同数）備えている。これらのピース５はすべて、貼付位置マーク３の直径より大きい均一の直径（一例としては、３ｍｍ）を有しており、各ピース５の表面には各種の色（例えば、赤色、青色、黄色など）が着色されているとともに、その裏面には予め接着剤が塗布されている。
【００１５】
そして、上記構成からなる重ね貼り装飾板の製作方法は次の手順で行われる。
ベース２上の貼付位置マーク３のピース色分け符号およびグラデーションに基づき、所定の色のピース５を順に貼付位置マーク３に貼り付けていく。例えば、赤色を指示する「▽」が印刷されたすべての貼付位置マーク３につき、まずグラデーションが淡い貼付位置マーク３にピース５ａを貼り付け、次いでグラデーションが中間の貼付位置マーク３にピース５ｂを貼り付け、最後にグラデーションが濃い貼付位置マーク３にピース５ｃを貼り付けるようにする。
【００１６】
すると、すべての貼付位置マーク３が互いに接しているとともに、各ピース５の直径が貼付位置マーク３の直径より大きいことから、図３に示すように、ピース５の一部が互いに重なることになる。また、ピース５を貼る順番を指示する説明書（図示せず）を参照しなくても、貼付位置マーク３のグラデーションにさえ注意すれば各ピース５を正しい順番で手早く貼り付けていくことができ、重ね貼り装飾板を短時間で完成させることが可能となる。
【００１７】
なお、上述の実施形態においては、貼付位置マーク３を円形とするとともに、ピース５を貼付位置マーク３より大きい円板形とした場合について説明したが、複数個のピース５がその一部を互いに重ねて貼付位置マーク３上に貼り付けられるものである限り、これら貼付位置マーク３、ピース５の形状は特に限定されるわけではない。
【００１８】
また、上述の実施形態においては、各貼付位置マーク３にそれぞれピース色分け符号を付した場合について説明したが、単色のピース５のみを用いるときにはピース色分け符号を省略することもできる。
【００１９】
【発明の効果】
以上説明したように、本発明によれば、ベース２上に描かれた各下絵ブロック内に複数個の貼付位置マーク３を互いに接するように記し、前記ピース５を貼る順番をこれらの貼付位置マーク３にグラデーションで表現しておき、このグラデーションに基づいて前記貼付位置マークよりも大きな前記ピースをその一部が互いに重なるように前記貼付位置マーク３上に順次貼り付けるようにして構成したので、重ね貼り装飾板１の製作に際して、ベース２だけを見ながら各ピース５を正しい順番で貼り付けていくことができることから、重ね貼り装飾板１を短時間で完成させることが可能となる。
【図面の簡単な説明】
【図１】  重ね貼り装飾板を構成するベースを示す平面図である。
【図２】  図１に示すベース上にピースを貼る手順を示す斜視図である。
【図３】  重ね貼り装飾板の断面図である。
【符号の説明】
１……重ね貼り装飾板
２……ベース
３……貼付位置マーク
５……ピース
【図１】
0003847569.tif 000002
【図２】
0003847569.tif 000003
【図３】
0003847569.tif 000004